(57)【特許請求の範囲】
【請求項１】
内部にタバコの煙等を浄化するように設けられるフィルターを収納するフィルター収納室と、前記フィルターを通して吸気する送風機を収納する送風機収納室とに、縦方向に仕切板を設けて２分した箱状の本体と、この本体の上方部に中央に灰皿を着脱自在に設けるように形成し設けられる吸込口と、この吸込口と連通し前記フィルターに通気するように前記本体に設けた通気口とを備え、前記吸込口は、中央を開口したほぼ逆椀状に形成され、この開口に前記灰皿が着脱自在に設けられ、前記逆椀状を形成するように、前記灰皿の周辺に設けられる水平部と前記灰皿の高さ方向に対応する垂直部に多数の小さな通気孔を設けた空気清浄機。
【請求項２】
吸込口を、灰皿から本体外周に向かい下降する傾斜面で形成した請求項１記載の空気清浄機。
【発明の詳細な説明】
【０００１】
【発明の属する技術分野】
本発明は、喫煙時に発生する煙を浄化して環境の良化を図ることのできる空気清浄機に関する。
【０００２】
【従来の技術】
近年、交通機関や人が集まる場所における喫煙が環境の悪化を防止するために限定される傾向にあり、タバコの煙が拡散されないように捕集して浄化する空気清浄機に対する要求が高まってきている。
【０００３】
従来、この種の空気清浄機の一例として図３に示すものが知られていた。以下その構成について、図３を参照しながら説明する。
【０００４】
図に示すように、箱状の本体１０１の内部に電気集塵ユニット等のフィルター１０２をほぼ上面に吸込面１０３が向くように仕切壁１０４を設けてフィルター収納室１０５に横形に配設し、フィルター１０２を通して吸気した空気を下方部より排気する排気口１０６に連通する送風機室１０７に送風機１０８を設け、フィルター収納室１０５の上方には周囲よりタバコの煙を吸気するように側方に吸込口１０９を、フィルター収納室１０５と連通して設け、上方の中央部には灰皿１１０を着脱自在に設け構成していた。
【０００５】
そして、喫煙者が発生したタバコの煙は吸込口１０９から吸い込まれ、フィルター１０２を通して浄化された後、送風機１０８により排気口１０６より排気されていた。
【０００６】
【発明が解決しようとする課題】
このような従来の空気清浄機では、灰皿１１０の掃除のときなどに、灰皿１１０に入れている水がこぼれても、フィルター１０２の吸込面１０３に水が滴下しないように吸込口１０９を側方に設け開口していたため、灰皿１１０から遠いところに吸込口１０９が設けられることとなり、灰皿１１０または灰皿１１０近傍から発生したタバコの煙が吸気されにくく、タバコの煙が拡散し煙の捕集を十分に行うことができないという課題があった。
【０００７】
本発明は、上記課題を解決するもので、灰皿および灰皿の近傍に発生するタバコの煙を効率良く集煙することのできる空気清浄機を提供することを目的とする。
【０００８】
【課題を解決するための手段】
本発明の空気清浄機においては、内部にタバコの煙等を浄化するように設けられるフィルターを収納するフィルター収納室と、前記フィルターを通して吸気する送風機を収納する送風機収納室とに、縦方向に仕切板を設けて２分した箱状の本体と、この本体の上方部に中央に灰皿を着脱自在に設けるように形成し設けられる吸込口と、この吸込口と連通し前記フィルターに通気するように前記本体に設けた通気口とを備え、前記吸込口は、中央を開口したほぼ逆椀状に形成され、この開口に前記灰皿が着脱自在に設けられ、前記逆椀状を形成するように、前記灰皿の周辺に設けられる水平部と前記灰皿の高さ方向に対応する垂直部に多数の小孔を設け構成したものである。
【０００９】
この本発明によれば、灰皿および灰皿の近傍に発生するタバコの煙を効率良く集煙することのできる空気清浄機を提供することができる。
【００１０】
【発明の実施の形態】
本発明の請求項１に記載の発明は、内部にタバコの煙等を浄化するように設けられるフィルターを収納するフィルター収納室と、前記フィルターを通して吸気する送風機を収納する送風機収納室とに、縦方向に仕切板を設けて２分した箱状の本体と、この本体の上方部に中央に灰皿を着脱自在に設けるように形成し設けられる吸込口と、この吸込口と連通し前記フィルターに通気するように前記本体に設けた通気口とを備え、前記吸込口は、中央を開口したほぼ逆椀状に形成され、この開口に前記灰皿が着脱自在に設けられ、前記逆椀状を形成するように、前記灰皿の周辺に設けられる水平部と前記灰皿の高さ方向に対応する垂直部に多数の小孔を設け構成したものであり、吸込口が上面と側面にわたり形成されるので吸込口の面積が増加し吸込効果が高まるとともに、灰皿の周辺に配設されることにより灰皿および灰皿の近傍に発生するタバコの煙を効率良く集煙することができるという作用を有する。
【００１１】
以下、本発明の実施の形態について図１および図２を参照しながら説明する。
（実施の形態１）
図１に示すように、内部にタバコの煙等を浄化する電気集塵フィルター等からなるフィルター１を収納するフィルター収納室２と、フィルター１を通して吸気する送風機３を収納する送風機収納室４とに、縦方向に仕切板５を設けて２分した箱状の本体６の上部に、中央に灰皿７が着脱自在に設けられる形状の吸込口８を設け、吸込口８は本体６に形成した通気口９を介してフィルター１に連通するように設けるとともに、吸込口８は灰皿７の周辺に設けられる水平部８ａと灰皿７の高さ方向に対応する垂直部８ｂにより中央を開口したほぼ逆椀状に形成され、多数の小さな通気孔８ｃを設け構成する。
【００１２】
上記構成において、喫煙者がタバコの灰を灰皿７に捨てたり灰皿７の近傍で喫煙したときには、灰皿７の周辺に設けられる水平部８ａに形成される吸込口８の通気孔８ｃよりタバコの煙が吸い込まれフィルター１により浄化されることとなる。
【００１３】
また、本体６の近傍で喫煙されたときには、垂直部８ｂに形成される吸込口８の通気孔８ｃより吸い込まれて浄化されることとなる。
【００１４】
このように本発明の実施の形態１の空気清浄機によれば、灰皿７の周辺部に設けられ水平部８ａと垂直部８ｂにより形成される吸込口８の通気孔８ｃより、喫煙者が発生したタバコの煙を広範囲にわたり効率良く吸気して浄化することができ、環境が悪化するのを防止することができる。
【００１５】
なお、吸込口８に設けられる通気孔８ｃの形状は、丸形、角形およびスリット等に限定されるものではなく、また、大きさも固形物が落ちこまないように小さなものが望ましいものである。
【００１６】
また、水平部８ａと垂直部８ｂに形成される吸込口８の通気孔８ｃの形状を変えてタバコの煙の吸込効率を高めることができることはいうまでもない。
【００１７】
（実施の形態２）
図２に示すように、吸込口８Ａを灰皿７から本体６の外周に向かい下降する傾斜面１０で形成し通気孔８ｃを設けた構成とする。
【００１８】
上記構成において、灰皿７および灰皿７近傍から発生したタバコの煙は傾斜面１０に設けた吸込口８Ａより速やかに集煙される。
【００１９】
そして、吸込口８Ａ上に固形物などが置かれた場合には吸込口８Ａを形成する傾斜面１０により内部に落下することがなく、本体６の外周方向に転がり落ちることとなる。
【００２０】
このように本発明の実施の形態２の空気清浄機によれば、吸込口８Ａを灰皿７から本体６の外周に向かい下降する傾斜面１０で形成したので、灰皿７および灰皿７近傍から発生したタバコの煙が速やかに吸込口８Ａに吸気されるとともに、灰皿７から本体６外周に下降する傾斜面１０によりタバコの煙の捕集範囲の片寄りがなくなり捕集効率が向上することとなる。
【００２１】
【発明の効果】
以上の実施の形態から明らかなように、本発明によれば、内部にタバコの煙等を浄化するように設けられるフィルターを収納するフィルター収納室と、前記フィルターを通して吸気する送風機を収納する送風機収納室とに、縦方向に仕切板を設けて２分した箱状の本体と、この本体の上方部に中央に灰皿を着脱自在に設けるように形成し設けられる吸込口と、この吸込口と連通し前記フィルターに通気するように前記本体に設けた通気口とを備え、前記吸込口は、中央を開口したほぼ逆椀状に形成され、この開口に前記灰皿が着脱自在に設けられ、前記逆椀状を形成するように、前記灰皿の周辺に設けられる水平部と前記灰皿の高さ方向に対応する垂直部に多数の小さな通気孔を形成したので、灰皿および灰皿の近傍に発生するタバコの煙を効率良く集煙することのできる空気清浄機を提供することができる。
【００２２】
また、吸込口を、灰皿から本体外周に向かい下降する傾斜面で形成したので、吸込速度を一定とし、本体上部のタバコの煙を吸い込む範囲の片寄りがなくなる。
【図面の簡単な説明】
【図１】本発明の実施の形態１の空気清浄機の構成を示す断面図
【図２】本発明の実施の形態２の空気清浄機の構成を示す断面図
【図３】従来の空気清浄機の構成を示す断面図
【符号の説明】
１    フィルター
３    送風機
６    本体
７    灰皿
８    吸込口
８Ａ  吸込口
８ａ  水平部
８ｂ  垂直部
８ｃ  通気孔
９    通気口
１０  傾斜面
【図１】
0003904735.tif 000002
【図２】
0003904735.tif 000003
【図３】
0003904735.tif 000004